【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
無線通信システムにおいてプライマリセルとセカンダリセルとを含む複数のサービングセルが構成された端末（ＵＥ）によって上りリンク制御情報を伝送する方法であって、
前記端末が、基地局（ＢＳ）から、ＲＲＣ（Ｒａｄｉｏ Ｒｅｓｏｕｒｃｅ Ｃｏｎｔｒｏｌ）層により構成され、所定のＰＵＣＣＨフォーマットに対応する第１セットのＰＵＣＣＨ（Ｐｈｙｓｉｃａｌ Ｕｐｌｉｎｋ Ｃｏｎｔｒｏｌ Ｃｈａｎｎｅｌ）リソースのうちの少なくとも１つのＰＵＣＣＨリソースを指示する情報をＳＰＳ（Ｓｅｍｉ Ｐｅｒｓｉｓｔｅｎｔ Ｓｃｈｅｄｕｌｉｎｇ）活性化ＰＤＣＣＨ（Ｐｈｙｓｉｃａｌ Ｄｏｗｎｌｉｎｋ Ｃｏｎｔｒｏｌ Ｃｈａｎｎｅｌ）を通じて受信し、
前記ＳＰＳ活性化ＰＤＣＣＨを受信した後、前記端末が、前記基地局から、ＳＰＳ ＰＤＳＣＨ（Ｐｈｙｓｉｃａｌ Ｄｏｗｎｌｉｎｋ Ｓｈａｒｅｄ Ｃｈａｎｎｅｌ）を、プライマリセル内に対応するＰＤＣＣＨを受信せずに前記プライマリセルで受信し、前記ＳＰＳ ＰＤＳＣＨは、前記プライマリセルが前記ＳＰＳ ＰＤＳＣＨによる単一の伝送ブロック伝送のみを支援する第１の伝送モードに設定された場合に、単一の伝送ブロックのみを含み、前記プライマリセルが前記ＳＰＳ ＰＤＳＣＨによる最大２つの伝送ブロック伝送を支援する第２の伝送モードに設定された場合に、最大２つの伝送ブロックを含み、
前記端末が、前記プライマリセルによって前記ＳＰＳ ＰＤＳＣＨに対応するＨＡＲＱ−ＡＣＫ（Ｈｙｂｒｉｄ Ａｕｔｏｍａｔｉｃ Ｒｅｐｅａｔ ｒｅＱｕｅｓｔ−Ａｃｋｎｏｗｌｅｄｇｅｍｅｎｔ）応答を生成し、
前記端末が、前記基地局へ、前記プライマリセルが前記第１の伝送モードに設定された場合に、前記ＳＰＳ活性化ＰＤＣＣＨによって指示されたリソースを含む第２セットのＰＵＣＣＨリソースのうちの１つを用いて前記ＨＡＲＱ−ＡＣＫ応答に対応する２ビットを選択的に送信し、あるいは、
前記端末が、前記基地局へ、前記プライマリセルが前記第２の伝送モードに設定された場合に、前記ＳＰＳ活性化ＰＤＣＣＨによって指示されたリソースを含む前記第２セットのＰＵＣＣＨリソースのうちの１つ及び前記ＳＰＳ活性化ＰＤＣＣＨによって指示されたリソースに関連する他の１つのリソースを用いて前記ＨＡＲＱ−ＡＣＫ応答に対応する前記２ビットを選択的に送信する、
ことを含むこと特徴とする方法。
【請求項２】
前記所定のＰＵＣＣＨフォーマットはＰＵＣＣＨフォーマット１ｂである、請求項１に記載の方法。
【請求項３】
前記の少なくとも１つのＰＵＣＣＨリソースを指示する情報は単一値を指示し、
前記プライマリセルが前記第１の伝送モードに設定されている場合は、前記単一値に基づく、前記第１セットのＰＵＣＣＨリソースのうちの単一のＰＵＣＣＨリソースが前記ＨＡＲＱ−ＡＣＫ応答の伝送に使用され、前記プライマリセルが前記第２の伝送モードに設定されている場合は、前記単一値に基づく、前記第１セットのＰＵＣＣＨリソースのうちの一対のＰＵＣＣＨリソースが前記ＨＡＲＱ−ＡＣＫ応答の伝送に使用される、請求項１に記載の方法。
【請求項４】
さらに、前記セカンダリセルによってＰＤＳＣＨを受信し、
前記セカンダリセルによって受信した前記ＰＤＳＣＨに対応するＨＡＲＱ−ＡＣＫ応答を生成することを含み、
伝送された前記２ビットは、前記セカンダリセルによって受信された前記ＰＤＳＣＨに対応する前記ＨＡＲＱ−ＡＣＫ応答及び前記プライマリセルによって受信された前記ＳＰＳ ＰＤＳＣＨに対応する前記ＨＡＲＱ−ＡＣＫ応答の両者に対応する、請求項１に記載の方法。
【請求項５】
前記セカンダリセルによって受信された前記ＰＤＳＣＨに対応する前記ＨＡＲＱ−ＡＣＫ応答、前記プライマリセルによって受信された前記ＳＰＳ ＰＤＳＣＨに対応する前記ＨＡＲＱ−ＡＣＫ応答、前記第２セットのＰＵＣＣＨリソース、及び伝送された前記２ビットの間の関係は、表（１）に示す関係を含み、
【表１】
2014504061.tif 000001
ＨＡＲＱ−ＡＣＫ（０）、ＨＡＲＱ−ＡＣＫ（１）及びＨＡＲＱ−ＡＣＫ（２）は、前記セカンダリセルによって受信された前記ＰＤＳＣＨに対応する前記ＨＡＲＱ−ＡＣＫ応答、及び前記プライマリセルによって受信された前記ＳＰＳ ＰＤＳＣＨに対応する前記ＨＡＲＱ−ＡＣＫ応答を示し、ｎ(1)PUCCH,i（ｉ＝０，１，２）は、第２セットのＰＵＣＣＨを意味し、ｂ（０）ｂ（１）は伝送された前記２ビットを意味し、
前記プライマリセルが前記第１の伝送モードに設定されている場合は、ｎ(1)PUCCH,i（ｉ＝２）は、前記ＳＰＳ活性化ＰＤＣＣＨによって受信された情報によって指示されたリソースであり、
前記プライマリセルが前記第２の伝送モードに設定されている場合は、ｎ(1)PUCCH,i（ｉ＝０）は、前記ＳＰＳ活性化ＰＤＣＣＨによって受信された情報によって指示されたリソースであり、ｎ(1)PUCCH,i（ｉ＝１）は他の１つのリソースである、請求項４に記載の方法。
【請求項６】
前記セカンダリセルによって受信された前記ＰＤＳＣＨに対応する前記ＨＡＲＱ−ＡＣＫ応答、前記プライマリセルによって受信された前記ＳＰＳ ＰＤＳＣＨに対応する前記ＨＡＲＱ−ＡＣＫ応答、前記第２セットのＰＵＣＣＨリソース、及び伝送された前記２ビットの間の関係は、表（２）に示す関係を含み、
【表２】
2014504061.tif 000002
ＨＡＲＱ−ＡＣＫ（０）、ＨＡＲＱ−ＡＣＫ（１）、ＨＡＲＱ−ＡＣＫ（２）及びＨＡＲＱ−ＡＣＫ（３）は、前記セカンダリセルによって受信された前記ＰＤＳＣＨに対応する前記ＨＡＲＱ−ＡＣＫ応答、及び前記プライマリセルによって受信された前記ＳＰＳ ＰＤＳＣＨに対応する前記ＨＡＲＱ−ＡＣＫ応答を示し、ｎ(1)PUCCH,i（ｉ＝０，１，２，３）は、前記第２セットのＰＵＣＣＨリソースを意味し、ｂ（０）ｂ（１）は伝送された前記２ビットを意味し、
前記プライマリセルが前記第２の伝送モードに設定されている場合は、ｎ(1)PUCCH,i（ｉ＝０）は、前記ＳＰＳ活性化ＰＤＣＣＨによって受信された情報によって指示されたリソースであり、ｎ(1)PUCCH,i（ｉ＝１）は他の１つのリソースである、請求項４に記載の方法。
【請求項７】
ｎ(1)PUCCH,i（ｉ＝２，３）は、前記ＲＲＣ層により構成された第３セットのＰＵＣＣＨフォーマット１ｂリソースインデックスを用いて提供される、請求項６に記載の方法。
【請求項８】
前記情報は、前記ＳＰＳ活性化ＰＤＣＣＨのＴＰＣ（Ｔｒａｎｓｍｉｔ Ｐｏｗｅｒ Ｃｏｎｔｒｏｌ）フィールドを通じて受信される、請求項１に記載の方法。
【請求項９】
プライマリセルとセカンダリセルとを含む複数のサービングセルで構成され、無線通信システムにおいて上りリンク制御情報を伝送する端末（ＵＥ）であって、
無線周波数（Ｒａｄｉｏ Ｆｒｅｑｕｅｎｃｙ、ＲＦ）ユニットと、
前記ＲＦユニットと動作可能なように接続されたプロセッサと、を備え、
前記プロセッサは、
基地局（ＢＳ）から、ＲＲＣ（Ｒａｄｉｏ Ｒｅｓｏｕｒｃｅ Ｃｏｎｔｒｏｌ）層により構成され、所定のＰＵＣＣＨフォーマットに対応する第１セットのＰＵＣＣＨ（Ｐｈｙｓｉｃａｌ Ｕｐｌｉｎｋ Ｃｏｎｔｒｏｌ Ｃｈａｎｎｅｌ）リソースのうちの少なくとも１つのＰＵＣＣＨリソースを指示する情報をＳＰＳ（Ｓｅｍｉ Ｐｅｒｓｉｓｔｅｎｔ Ｓｃｈｅｄｕｌｉｎｇ）活性化ＰＤＣＣＨ（Ｐｈｙｓｉｃａｌ Ｄｏｗｎｌｉｎｋ Ｃｏｎｔｒｏｌ Ｃｈａｎｎｅｌ）を通じて受信し、
前記ＳＰＳ活性化ＰＤＣＣＨを受信した後、前記基地局から、ＳＰＳ ＰＤＳＣＨ（Ｐｈｙｓｉｃａｌ Ｄｏｗｎｌｉｎｋ Ｓｈａｒｅｄ Ｃｈａｎｎｅｌ）を、プライマリセル内に対応するＰＤＣＣＨを受信せずに前記プライマリセルで受信し、前記ＳＰＳ ＰＤＳＣＨは、前記プライマリセルが前記ＳＰＳ ＰＤＳＣＨによる単一の伝送ブロック伝送のみを支援する第１の伝送モードに設定された場合に、単一の伝送ブロックのみを含み、前記プライマリセルが前記ＳＰＳ ＰＤＳＣＨによる最大２つの伝送ブロック伝送を支援する第２の伝送モードに設定された場合に、最大２つの伝送ブロックを含み、
前記プライマリセルによって前記ＳＰＳ ＰＤＳＣＨに対応するＨＡＲＱ−ＡＣＫ（Ｈｙｂｒｉｄ Ａｕｔｏｍａｔｉｃ Ｒｅｐｅａｔ ｒｅＱｕｅｓｔ−Ａｃｋｎｏｗｌｅｄｇｅｍｅｎｔ）応答を生成し、
前記基地局へ、前記プライマリセルが前記第１の伝送モードに設定された場合に、前記ＳＰＳ活性化ＰＤＣＣＨによって指示されたリソースを含む第２セットのＰＵＣＣＨリソースのうちの１つを用いて前記ＨＡＲＱ−ＡＣＫ応答に対応する２ビットを選択的に送信し、あるいは、
前記基地局へ、前記プライマリセルが前記第２の伝送モードに設定された場合に、前記ＳＰＳ活性化ＰＤＣＣＨによって指示されたリソースを含む前記第２セットのＰＵＣＣＨリソースのうちの１つ及び前記ＳＰＳ活性化ＰＤＣＣＨによって指示されたリソースに関連する他の１つのリソースを用いて前記ＨＡＲＱ−ＡＣＫ応答に対応する前記２ビットを選択的に送信する、
ことを特徴とする端末。
【請求項１０】
前記所定のＰＵＣＣＨフォーマットはＰＵＣＣＨフォーマット１ｂである、請求項９に記載の端末。
【請求項１１】
前記の少なくとも１つのＰＵＣＣＨリソースを指示する情報は単一値を指示し、
前記プライマリセルが前記第１の伝送モードに設定されている場合は、前記単一値に基づく、前記第１セットのＰＵＣＣＨリソースのうちの単一のＰＵＣＣＨリソースが前記ＨＡＲＱ−ＡＣＫ応答の伝送に使用され、前記プライマリセルが前記第２の伝送モードに設定されている場合は、前記単一値に基づく、前記第１セットのＰＵＣＣＨリソースのうちの一対のＰＵＣＣＨリソースが前記ＨＡＲＱ−ＡＣＫ応答の伝送に使用される、請求項９に記載の端末。
【請求項１２】
さらに、前記セカンダリセルによってＰＤＳＣＨを受信し、
前記セカンダリセルによって受信した前記ＰＤＳＣＨに対応するＨＡＲＱ−ＡＣＫ応答を生成し、
伝送された前記２ビットは、前記セカンダリセルによって受信された前記ＰＤＳＣＨに対応する前記ＨＡＲＱ−ＡＣＫ応答及び前記プライマリセルによって受信された前記ＳＰＳ ＰＤＳＣＨに対応する前記ＨＡＲＱ−ＡＣＫ応答の両者に対応する、請求項９に記載の端末。
【請求項１３】
前記セカンダリセルによって受信された前記ＰＤＳＣＨに対応する前記ＨＡＲＱ−ＡＣＫ応答、前記プライマリセルによって受信された前記ＳＰＳ ＰＤＳＣＨに対応する前記ＨＡＲＱ−ＡＣＫ応答、前記第２セットのＰＵＣＣＨリソース、及び伝送された前記２ビットの間の関係は、表（１）に示す関係を含み、
【表３】
2014504061.tif 000003
ＨＡＲＱ−ＡＣＫ（０）、ＨＡＲＱ−ＡＣＫ（１）及びＨＡＲＱ−ＡＣＫ（２）は、前記セカンダリセルによって受信された前記ＰＤＳＣＨに対応する前記ＨＡＲＱ−ＡＣＫ応答、及び前記プライマリセルによって受信された前記ＳＰＳ ＰＤＳＣＨに対応する前記ＨＡＲＱ−ＡＣＫ応答を示し、ｎ(1)PUCCH,i（ｉ＝０，１，２）は、第２セットのＰＵＣＣＨを意味し、ｂ（０）ｂ（１）は伝送された前記２ビットを意味し、
前記プライマリセルが前記第１の伝送モードに設定されている場合は、ｎ(1)PUCCH,i（ｉ＝２）は、前記ＳＰＳ活性化ＰＤＣＣＨによって受信された情報によって指示されたリソースであり、
前記プライマリセルが前記第２の伝送モードに設定されている場合は、ｎ(1)PUCCH,i（ｉ＝０）は、前記ＳＰＳ活性化ＰＤＣＣＨによって受信された情報によって指示されたリソースであり、ｎ(1)PUCCH,i（ｉ＝１）は他の１つのリソースである、請求項１２に記載の端末。
【請求項１４】
前記セカンダリセルによって受信された前記ＰＤＳＣＨに対応する前記ＨＡＲＱ−ＡＣＫ応答、前記プライマリセルによって受信された前記ＳＰＳ ＰＤＳＣＨに対応する前記ＨＡＲＱ−ＡＣＫ応答、前記第２セットのＰＵＣＣＨリソース、及び伝送された前記２ビットの間の関係は、表（２）に示す関係を含み、
【表４】
2014504061.tif 000004
ＨＡＲＱ−ＡＣＫ（０）、ＨＡＲＱ−ＡＣＫ（１）、ＨＡＲＱ−ＡＣＫ（２）及びＨＡＲＱ−ＡＣＫ（３）は、前記セカンダリセルによって受信された前記ＰＤＳＣＨに対応する前記ＨＡＲＱ−ＡＣＫ応答、及び前記プライマリセルによって受信された前記ＳＰＳ ＰＤＳＣＨに対応する前記ＨＡＲＱ−ＡＣＫ応答を示し、ｎ(1)PUCCH,i（ｉ＝０，１，２，３）は、前記第２セットのＰＵＣＣＨリソースを意味し、ｂ（０）ｂ（１）は伝送された前記２ビットを意味し、
前記プライマリセルが前記第２の伝送モードに設定されている場合は、ｎ(1)PUCCH,i（ｉ＝０）は、前記ＳＰＳ活性化ＰＤＣＣＨによって受信された情報によって指示されたリソースであり、ｎ(1)PUCCH,i（ｉ＝１）は他の１つのリソースである、請求項１２に記載の端末。
【請求項１５】
ｎ(1)PUCCH,i（ｉ＝２，３）は、前記ＲＲＣ層により構成された第３セットのＰＵＣＣＨフォーマット１ｂリソースインデックスを用いて提供される、請求項１４に記載の端末。
【請求項１６】
前記情報は、前記ＳＰＳ活性化ＰＤＣＣＨのＴＰＣ（Ｔｒａｎｓｍｉｔ Ｐｏｗｅｒ Ｃｏｎｔｒｏｌ）フィールドを通じて受信される、請求項９に記載の端末。